(57)【要約】【課題】敷地境界線の外にはみ出してCD機を据え付ける場合でも、敷地の外側に据え付け用の基礎を形成する等の特別な手を加えずに据え付けることができるCD機およびCD機設置架台を提供する。【解決手段】敷地境界線の内側に、敷地境界線方向に並列に設置され、CD機11が据え付けられる一組の架台本体2,2と、架台本体2,2の敷地境界線側の端部間と、その反対側の端部間にそれぞれ架け渡され、架台本体2,2どうしを連結する複数の連結梁3,4とから構成する。架台本体2,2間にケーシング９を建て込むための空間部Ａを設ける。架台本体2,2の敷地境界線側の端部にCD機11の敷地境界線側を設置するための張出し部5a,5aを敷地境界線の外側にはみ出して設ける。【選択図】図１
2015086549.tif 000002
【特許請求の範囲】
【請求項１】
敷地境界線をはみ出して据え付けられ、ケーシングの圧入と引き抜きに用いられるCD機を設置するためのCD機設置架台において、敷地境界線の内側に、当該敷地境界線方向に並列に設置され、前記CD機が据え付けられる一組の架台本体と、当該架台本体の敷地境界線側の端部間と、その反対側の端部間にそれぞれ架け渡され、架台本体どうしを連結する複数の連結梁とから構成され、前記架台本体間に前記ケーシングを建て込むための空間が設けられ、かつ前記架台本体の敷地境界線側の端部に前記CD機の敷地境界線側を設置するための張出し部が前記敷地境界線の外側にはみ出して設けられていることを特徴とするCD機設置架台。
【請求項２】
請求項１記載のCD機設置架台において、架台本体はCD機を設置するための床部と床部を支えるベース部とから構成され、かつ前記床部およびベース部は複数の山留め材から形成されていることを特徴とするCD機設置架台。
【請求項３】
請求項１または２記載のCD機設置架台において、床部とベース部のCD機が設置される位置にジャッキシリンダーが設置されていることを特徴するCD機設置架台。
【請求項４】
請求項１〜３のいずれかひとつに記載のCD機設置架台と当該CD機設置架台の上に設置されたCD機本体とから構成されてなることを特徴とするCD機。
【発明の詳細な説明】
【技術分野】
【０００１】
本発明は、建築・土木の基礎工事などで大口径鋼管や鋼管杭などのケーシング(以下、「ケーシング」という)の圧入と引抜きに用いられるケーシングドライバ(以下、「CD機」という)および当該CD機を設置するためのCD機設置架台に関し、特に敷地境界にきわめて近い場所における地中障害物(特に、SRC構造などからなる強固な既存躯体や深度の深いアース杭等)の撤去や場所打ちコンクリート杭の施工に適している。
【背景技術】
【０００２】
建築・土木の基礎工事においては、都市再開発における地中障害物の撤去、あるいは周辺地盤を考慮した場所打ちコンクリート杭の施工に際し、例えば、図４に図示するようにケーシング９を回転させながら地中に圧入し、当該ケーシング９によって孔壁を保護しながらケーシング９内をハンマーグラブ10によって掘削・排土することによって地中障害物を撤去したり、場所打ち杭用の縦孔を形成する全周ケーシング工法(CD工法)が知られている。
【０００３】
本工法では、特にケーシング９の圧入と引抜き作業にCD機11が用いられる。
【０００４】
一般に、CD機11は、例えば、図5(a),(b)に図示するように略矩形枠状をなし、中央にケーシング９を建て込むための空間部Ａを有するベースプレート12と、ベースプレート12の上に設置され、ケーシング９の圧入と引抜きを行うCD機本体13とから構成されている。
【０００５】
ベースプレート12は、CD機本体13の姿勢を水平に調整するための水平調整機構を備え、各コーナ部に当該水平調整機構を構成する水平調整ジャッキシリンダー14がそれぞれ設置され、またケーシング傾斜計(図省略)が設置されている。
【０００６】
CD機本体11は、ベースプレート12の上に空間部Ａの中心に対して対称に設置された複数のガイドポスト(図省略)と、当該ガイドポストにガイドされ、ベースプレート12の上で昇降する昇降フレーム15と、昇降フレーム15を昇降させる複数のスラストシリンダー16,16などを備えて構成されている。
【０００７】
昇降フレーム15には、空間部Ａ内に建て込まれたケーシング９を把持するためのケーシング把持機構が設置されている。ケーシング把持機構は、ケーシング９を横から強力に把持するための把持バンド17と当該把持バンド17を作動させるためのバンドシリンダー18などを備えて構成されている。
【０００８】
また、昇降フレーム15にはケーシング９を回転させるためのケーシング回転装置が設置されている。当該ケーシング回転装置は、把持バンド17によって強力に把持されたケーシング９を把持バンド17と共に回転する回転体(図省略)と回転体させるための油圧モータ(図省略)などを備えて構成されている。
【０００９】
このような構成において、昇降フレーム15を貫通し、ベースプレート12の空間部Ａ内に建て込まれたケーシング９をケーシング把持バンド17によって把持し、油圧モータを作動させ、回転体を回転させてケーシング９をケーシング把持バンド17と共に回転させる。
【００１０】
そして、スラストシリンダー16,16を作動させて昇降フレーム15を下降させることにより、ケーシング９を地盤中に回転させながら圧入することができる。
【００１１】
また、ケーシング９内をハンマーグラブ10によって掘削・排土することにより縦孔を掘削することができる。
【００１２】
ところで、都市再開発における地中障害物の撤去や場所打ちコンクリート杭の施工などに際し、敷地境界線の近くにCD機11を据え付けてこれらの工事を行う場合がある。
【先行技術文献】
【特許文献】
【００１３】
【特許文献１】特開昭61-270418号公報
【特許文献２】特開平05-331853号公報
【発明の概要】
【発明が解決しようとする課題】
【００１４】
しかし、敷地境界線の外側が他人の敷地であったり、あるいは公道などである場合、敷地をはみ出してCD機を据え付けることはできない。
【００１５】
このため、敷地境界線のきわめて近い位置に地中障害物が埋設されていたりすると、地中障害物を完全に撤去できない場合があった。また、敷地境界線のきわめて近い位置に場所打ちコンクリート杭を施工できない場合がった。
【００１６】
さらに、CD機を敷地境界線の外側にはみ出して据え付けられたとしても、据え付け用の基礎を形成したりした場合、工事終了後にもとの状態に復旧させる必要があり、余計な労力とコストを必要とした。
【００１７】
本発明は、以上の課題を解決するためになされたもので、特に、敷地境界線の外にはみ出してCD機を据え付ける場合でも、敷地の外側に据え付け用の基礎を形成する等の特別な手を加えずに据え付けられるようにしたCD機およびCD機設置架台を提供することを目的とする。
【課題を解決するための手段】
【００１８】
本発明は、敷地境界線をはみ出して据え付けられ、ケーシングの圧入と引き抜きに用いられるCD機およびCD機を設置するためのCD機設置架台であり、特にCD機設置架台は敷地境界線の内側に、敷地境界線方向に並列に設置され、前記CD機が設置される一組の架台本体と、当該架台本体の敷地境界線側の端部間と、その反対側の端部間にそれぞれ架け渡され、架台本体どうしを連結する複数の連結梁とから構成されている。
【００１９】
また、前記架台本体間に前記ケーシングを建て込むための空間が設けられ、かつ前記架台本体の敷地境界線側の端部に前記CD機の敷地境界線側を設置するための張出し部が前記敷地境界線の外側にはみ出して設けられている。
【００２０】
架台本体は、CD機を据え付けるための床部と床部を支えるベース部として構成されており、いずれもＨ形鋼などの山留め材を利用することができる。
【００２１】
また、山留め材どうしの接合には連結ボルトまたは溶接を利用することができ、特に連結ボルトは山留め材のボルト孔を利用することにより組み立てが容易であり、しかも分解後の山留め材は本来の山留め材として利用することができる。
【００２２】
連結梁には溝形鋼などの形鋼を利用することができ、山留め材と同様に連結ボルトや溶接などによって床部とベース部を構成する山留め材に接合することができる。
【００２３】
また、架台本体の床部とベース部を構成する山留め材の、特にCD機を据え付けることにより集中荷重が作用する位置にジャッキシリンダーや補剛材を設置することにより部分的に補強することもできる。
【００２４】
CD機は、CD機設置架台の上に据え付けられる大きさ内であれば、構造や形状等は特に限定されるものではない。
【発明の効果】
【００２５】
本発明のCD機およびCD機設置架台によれば、敷地境界線の外にはみ出してCD機を据え付ける場合でも、敷地の外側に据え付け用の基礎を形成する等といった特別な措置を行わずにCD機を据え付けることができる。
【００２６】
これにより、敷地境界線ぎりぎりに埋設された地中障害物も確実に撤去することができ、また、敷地境界線のきわめて近い位置に場所打ちコンクリート杭などの構造体も形成することができる。
【図面の簡単な説明】
【００２７】
【図１】本発明のCD機設置架台の一実施形態を示す斜視図である。
【図２】本発明のCD機設置架台の一実施形態を示し、図2(a)は平面図、図2(b)は敷地境界線側から見た正面図である。
【図３】本発明のCD機設置架台の一実施形態を示し、図3(a)は敷地境界線側とは反対側から見たCD機設置架台の背面図、図3(b)はCD機設置架台の側面図である。
【図４】CD工法による基礎工事を示す説明図である。
【図５】CD機の一例を示し、図5(a)は平面図、図5(b)は側面図である。
【発明を実施するための形態】
【００２８】
図１〜３は、敷地境界線のきわめて近い位置に据え付けられたCD機を示し、CD機は敷地境界線にほぼ接して設置されたCD機設置架台１の上に据え付けられている。
【００２９】
CD機設置架台１は、敷地境界線方向に並列に敷設された一組の架台本体2,2と、架台本体2,2の敷地境界線側の端部間とその反対側の端部間にそれぞれ架け渡された複数の連結梁３と、各架台本体2,2の敷地境界線側の端部にそれぞれ架け渡された複数の連結梁４とから構成されている。
【００３０】
また、架台本体2,2間にはケーシング９を建て込むための空間部Ａが設けられ、また敷地境界線側の反対側に架け渡された連結梁３は上下二段に架け渡されている。
【００３１】
さらに詳述すると、各架台本体２は、CD機の一端側を据え付けるための床部５と、床部５を支えるベース部６とから構成され、いずれも両端部にエンドプレートを有するＨ形鋼などからなる複数の山留め材７から形成されている。
【００３２】
山留め材７は敷地境界線とほぼ直角に敷設され、かつフランジ幅方向に上下のフランジ同士を互いに突き合わせた状態で敷設されている。また、床部５を構成する各山留め材７は、ベース部６を構成する各山留め材７の上にそれぞれ敷設されている。
【００３３】
さらに、床部５を構成する各山留め材７はベース部６を構成する各山留め材７より長く、その分、敷地境界線側の端部が敷地境界線より先に張り出し、これにより床部５の敷地境界線側の端部に敷地境界線より先に所定長さ(50ｃｍ程度)突出した張出し部5aが形成されている。
【００３４】
このように、敷地境界線の先に張り出した張出し部5aが形成されていることにより、CD機をその一部が敷地境界線の外側にはみ出た状態で据え付けることが可能になり、これにより敷地境界線にきわめて近い位置における基礎工事においても、敷地境界線ぎりぎりの位置に埋設された地中障害物の撤去や敷地境界線ぎりぎりの位置における場所打ちコンクリート杭の施工も難なく実施することができる。
【００３５】
架台本体2,2の敷地境界線側の端部間に架け渡された連結梁３の両端部は、各架台本体2,2の床部５を構成する各山留め材7,7の下側に溶接または連結ボルトによって一体的に連結されている。
【００３６】
また、各架台本体2,2の敷地境界線側の端部に架け渡された連結梁４は、ベース部６を構成する各山留め材７の端部に溶接または接合ボルトによって一体的に連結されている。
【００３７】
これにより、架台本体2,2の敷地境界線側の端部が連結梁３と連結梁４によって一体的に連結され、また各架台２の床部５とベース部６を構成する山留め材７どうしが一体的に連結されている。
【００３８】
また、敷地境界線の反対側に架け渡された上下２段の連結梁3,3の両端部は、床部５を構成する各山留め材７の端部とベース部６を構成する各山留め材７の端部にそれぞれ溶接または連結ボルトによって一体的に連結されている。
【００３９】
これにより、架台本体2,2の敷地境界線側と反対側の端部が上下２段の連結梁3,3によって一体的に連結されている。また各架台２の床部５とベース部６を構成する山留め材７どうしが一体的に連結されている。なお、連結梁３と４は溝形鋼やＬ形鋼などの形鋼から形成されている。
【００４０】
符号８は補強ジャッキであり、各山留め材７の上下フランジ間に脱着自在に設置されている。補強ジャッキ８は床部５の上にCD機が据え付けられることで、特に過大な荷重が作用する地点に設置されている。なお、補強ジャッキ８に代えて補剛材が設置されてもよい。
【産業上の利用可能性】
【００４１】
本発明は、敷地境界線の外にはみ出してCD機を据え付ける場合でも、敷地の外側に据え付け用の基礎を形成する等の特別な手を加えずに据え付けることができる。
【符号の説明】
【００４２】
１  CD機設置架台
２  架台本体
３  連結梁
４  連結梁
５  床部
５ａ  張出し部
６  ベース部
７  山留め材
８  補強ジャッキ
９  ケーシング
１０  ハンマーグラブ
１１  CD機(ケーシングドライバ)
１２  ベースプレート
１３  CD機本体
１４  水平調整ジャッキシリンダー
１５  昇降フレーム
１６  スラストシリンダー
１７  把持バンド
１８  バンドシリンダー
【図１】
2015086549.tif 000003
【図２】
2015086549.tif 000004
【図３】
2015086549.tif 000005
【図４】
2015086549.tif 000006
【図５】
2015086549.tif 000007